(57)【特許請求の範囲】
【請求項１】
ベース板の下面にステンレスたわしを配設して固定し、該ベース板の上側に取っ手或いは柄を設けた清掃及び剥離用具において、
前記ステンレスたわしは、前記ベース板の下面より切り起こされた切り起こし片により、該ベース板の下面に抱き込んで取り付けられていることを特徴とする清掃及び剥離用具。
【請求項２】
前記柄を前記ベース板に対して回動可能としたことを特徴とする請求項１に記載の清掃及び剥離用具。
【請求項３】
複数の前記ベース板を用いて、左右方向或いは前後方向の少なくとも一方に拡がっている構成とし、複数の前記ベース板はそれぞれ着脱自在であること特徴とする請求項１に記載の清掃及び剥離用具。
【発明の詳細な説明】
【０００１】
【発明の属する技術分野】
本発明は、壁や床等の清掃や塗装の剥離等を行うための清掃及び剥離用具に関するものである。
【０００２】
【従来の技術】
従来より、壁や床等の清掃を行うに際しては、たわしやモップ等の清掃用具が用いられてきている。ところが、例えばタイル目地におけるカビや水垢、或いは工場の床の油汚れ等のこびり付き汚れ、若しくは剥がれかかって汚くなった塗装のようなものは、従来のたわしやモップ等の清掃用具を用いても、容易には落とすことができない。そこで、例えば薄くて細い帯状のステンレスをボール状に固めたいわゆるステンレスたわしの類を用いて、清掃の対象となる壁や床に強力な摺擦力を加え、汚れを落とすといったことが行われている。
【０００３】
【発明が解決しようとする課題】
しかしながら、このようなステンレスたわしをそのまま清掃に用いた場合、床や壁を強く擦ろうとするので、その形状が崩れやすく、持ちにくくなって、比較的早めに使用できなくなることが多い。また、壁の下部や床を清掃する場合、作業者が腰を落として清掃作業を行わなければならず、それが広い範囲に渡るとき等は重労働となる。
【０００４】
本発明は、このような問題点に鑑み、床や壁等にこびり付いた広範囲の汚れ若しくは剥がれかかった塗装でも楽に落とすことができ、また消耗部品の交換も簡単に行うことができる清掃及び剥離用具を提供することを目的とする。
【０００５】
【課題を解決するための手段】
上記目的を達成するために、本発明では、ベース板の下面にステンレスたわしを配設して固定し、該ベース板の上側に取っ手或いは柄を設けた清掃及び剥離用具において、前記ステンレスたわしは、前記ベース板の下面より切り起こされた切り起こし片により、該ベース板の下面に抱き込んで取り付けられていることを特徴とする。
【０００７】
また、前記柄を前記ベース板に対して回動可能としたことを特徴とする。また、複数の前記ベース板を用いて、左右方向或いは前後方向の少なくとも一方に拡がっている構成とし、複数の前記ベース板はそれぞれ着脱自在であること特徴とする。
【０００８】
【発明の実施の形態】
以下、本発明の実施の形態について、図面を参照しながら説明する。図１は、本発明の一実施形態の清掃及び剥離用具を模式的に示す斜視図である。同図において、１は左右に渡した略円柱状の取っ手、２は取っ手１両端より下方に延びる取付板、６はベース板である。取付板２はそれぞれ上端付近を取っ手１両端にボルト３で取り付けられている。
【０００９】
また、ベース板６の左右両端は、それぞれ各取付板２の下端にボルト４及びナット５により取り付けられている。そして、ベース板６の下面には、数個のステンレスたわし７が前後左右に配設され固定されている。但し、各部品の形状や個数、取付状態等は、実施形態で示したものに限定されるものではない。これは、以下に述べる構成についても同様である。
【００１０】
図２は、上記ベース板の構造を模式的に示す斜視図である。ベース板６は、例えばアルミ板或いはメッキ鋼板或いはステンレス板等の金属板より成り、同図に示すように、その左右端を曲げ起こした曲げ部６ａが設けられている。さらに、左右の曲げ部６ａそれぞれには、少なくとも２箇所の切り欠き６ａａを有している。また、各切り欠き６ａａに対応して、上記各取付板２下端には、図示しない取付孔が開けられている。なお、同図に示すように、ベース板６の前後端を曲げ起こした曲げ部６ｂが、補強のために設けられている。
【００１１】
そして、これら取付孔及び切り欠き６ａａをボルト４が貫通し、ナット５で締め付けられることにより、ベース板６が取付板２に取り付けられている。このとき、ボルト４及びナット５をそれぞれ蝶ボルト及び蝶ナットとすれば、別途工具を使用することなくベース板６の取り付け，取り外しを行うことができるので、便利である。また、ベース板６の取り付け部分を上述のように孔ではなく切り欠きとしたことにより、ボルト４からナット５を取り外す必要がなく、緩めるだけでベース板６の取り付け，取り外しを行うことができるようになっている。
【００１２】
さらに、ベース板６の下面には、上述したように、数個のステンレスたわし７が配設され固定されている。ここでは２行３列で計６個のステンレスたわし７が取り付けられた様子を示している。このように、ベース板６にステンレスたわし７が取り付けられた状態のものをユニットＵと呼ぶ。なお、ステンレスたわし７の取り付け方法については後述する。
【００１３】
図３は、ベース板を模式的に示す下面図である。同図（ａ）はベース板６単体の様子を示し、同図（ｂ）はステンレスたわし７が取り付けられた様子を示している。同図（ａ）に示すように、ベース板６には、各ステンレスたわし７が取り付けられる箇所に対応して、それぞれ中央の孔ａとその周辺の孔ｂとが開けられている。そして、同図（ｂ）に示すように、孔ａ及び孔ｂに針金８を通しつつ、これによりステンレスたわし７を縛り付けて、ベース板６に取り付けている。
【００１４】
図４は、ベース板にステンレスたわしを取り付ける方法を示す断面図である。同図では上下が逆となっている。同図に示すように、針金８はベース板６の孔ａを経てステンレスたわし７中央を貫通し、外側に巻き込んで孔ｂを通り、最後に端部同士が縛り付けられることにより、輪状を成している。これにより、ステンレスたわし７がベース板６下面に取り付けられている。
【００１５】
図５は、ベース板にステンレスたわしを取り付ける他の方法を示す断面図である。同図でも上下が逆となっている。同図に示すように、ここではプレス加工等により、ベース板６には、各ステンレスたわし７が取り付けられる箇所に対応して、それぞれ中央及び周辺に各々切り起こし片６ｃ及び６ｄが設けられている。
【００１６】
そして、切り起こし片６ｃは、ステンレスたわし７の中央を貫通後、これを内側より抱き込むようにして、先端を外側に折り曲げられ、また、切り起こし片６ｄは、ステンレスたわし７を外側より抱き込むようにして、先端を内側に折り曲げられている。これにより、ステンレスたわし７がベース板６下面に取り付けられている。同図に示した方法は、図４に示した方法と比較して、別途針金を取り扱う必要がないので、生産性が良い。なお、ステンレスたわし７は、ベース板６下面に匹敵する大きさのものを作製して取り付けても良い。
【００１７】
図６は、左右方向に長い構成の清掃及び剥離用具を模式的に示す斜視図である。同図に示すように、ここでは数本の取っ手１を植込ボルト等で繋ぎ合わせ、その継ぎ目に取付板２を挟み込んでいる。そして、両隣の取付板２との間にそれぞれユニットＵを取り付けた構成としている。これにより、左右方向に数倍の長さの清掃及び剥離用具を実現している。また、この構成によれば、理論的には左右方向にいくらでも長い清掃及び剥離用具を作り出すことができ、幅広く使用することができる。さらに、同図に示すように用具の略中央より柄１０を延ばせば、モップのようにして使用することができ、更に使い勝手の良いものとなる。
【００１８】
図７は、前後方向に長い構成の清掃及び剥離用具を模式的に示す斜視図である。同図に示すように、ここでは前後方向に２倍の長さの取付板２を用い、ユニットＵを前後に配列して取り付けた構成としている。これにより、前後方向に２倍の長さの清掃及び剥離用具を実現している。また、この構成によれば、理論的には前後方向にいくらでも長い清掃及び剥離用具を作り出すことができる。さらに、図６，図７の構成を組み合わせれば、理論的には前後左右方向にいくらでも拡がる清掃及び剥離用具を作り出すことができる。
【００１９】
以上のような構成の清掃及び剥離用具を使用して、作業者が例えば取っ手１を持って作業を行うことにより、ステンレスたわし７により広範囲に渡って楽に清掃等をすることができるので、使い勝手が良い。また、この構成によれば、ステンレスたわし７の形状が崩れにくくなる。さらに、清掃作業によりステンレスたわし７の摩耗，破損等が生じたときは、ユニットＵごと取り替えれば良い。
【００２０】
図８は、本発明の他の実施形態の清掃及び剥離用具を模式的に示す斜視図である。同図に示すように、ここでは上記取っ手の代わりに柄を設けて、モップとして使用する構成としている。ここで、斜面を成すブラケット９は、例えばアルミ板或いは鋼板或いはステンレス板等の金属板より成り、同図に示すように、その左右端を下方に曲げた略四角形状の曲げ部９ａが設けられている。そして、上記取付板２の場合と同様にして、ボルト４及びナット５により、ベース板６がブラケット９に取り付けられている。
【００２１】
一方、ブラケット９の略中央には、柄１０先端の取付部１０ａが、ボルト１２及びナット１３により取り付けられている。柄１０本体と取付部１０ａとの間には、回動軸１１が設けられており、これにより互いの成す角度を変化させることができる。そして、作業者の体格に合わせて柄１０を回動させ、その向きをベース板６に対して調節することができるので、便利である。
【００２２】
以上のような構成の清掃及び剥離用具を使用して、作業者が柄１０を持って作業を行うことにより、ステンレスたわし７により広範囲に渡って楽に清掃等をすることができるので、使い勝手が良い。また、ステンレスたわし７の形状が崩れにくくなること及び、清掃作業によりステンレスたわし７の摩耗，破損等が生じたときにはユニットＵごと取り替えれば良いことは、最初の実施形態と同様である。
【００２３】
【発明の効果】
以上説明したように、本発明によれば、床や壁等にこびり付いた広範囲の汚れ若しくは剥がれかかった塗装でも楽に落とすことができ、また消耗部品の交換も簡単に行うことができる清掃及び剥離用具を提供することができる。
【図面の簡単な説明】
【図１】本発明の一実施形態の清掃及び剥離用具を模式的に示す斜視図。
【図２】ベース板の構造を模式的に示す斜視図。
【図３】ベース板を模式的に示す下面図。
【図４】ベース板にステンレスたわしを取り付ける方法を示す断面図。
【図５】ベース板にステンレスたわしを取り付ける他の方法を示す断面図。
【図６】左右方向に長い構成の清掃及び剥離用具を模式的に示す斜視図。
【図７】前後方向に長い構成の清掃及び剥離用具を模式的に示す斜視図。
【図８】本発明の他の実施形態の清掃及び剥離用具を模式的に示す斜視図。
【符号の説明】
１    取っ手
２    取付板
３    ボルト
４    ボルト
５    ナット
６    ベース板
７    ステンレスたわし
８    針金
９    ブラケット
１０    柄
１１    回動軸
１２    ボルト
１３    ナット
【図１】
0003563720.tif 000002
【図２】
0003563720.tif 000003
【図３】
0003563720.tif 000004
【図４】
0003563720.tif 000005
【図５】
0003563720.tif 000006
【図６】
0003563720.tif 000007
【図７】
0003563720.tif 000008
【図８】
0003563720.tif 000009